(57)【要約】【課題】サッカー練習器具をコンパクトにすることにより、装置の移動、設置に手間をかけず、サッカーボールを蹴る位置、また、蹴ったキック力の強弱、蹴られたサッカーボールの反撥してくる方向を知ることができ、体の位置を最も望ましい位置関係に瞬時に持っていくことを容易にして手軽で、充分に効率の良い練習ができるようにする。【解決手段】本発明は、固定盤ユニットＡ、Ａａ、サッカーボール収納ユニットＣを弾性紐でスイベルジョイント６に連結して構成される。固定盤ユニットＡ、Ａａは、固定盤１、把手２および防滑弾性材３で構成される。また、サッカーボール収納ユニットＣは、環状弾性帯７、非弾性帯８、環状非弾性帯１０および絞り紐１２で構成されており、サッカーボールの、キック力の強弱、反撥方向を知ることができ、体の位置関係を最適に瞬時に持っていくことができる充分に効率の良い練習ができるサッカー練習器具を提供する。【選択図】図１
2007082579.tif 000002
【特許請求の範囲】
【請求項１】
サッカーボール径より小さな環状の上部弾性帯と下部非弾性帯と該上下両環状帯に直交して縫着した複数の縦状非弾性帯とからなるサッカーボール収納体と、該サッカーボール収納体の上部を締着するネット絞紐及び該ネット絞紐に嵌着した弾性筒とによってサッカーボール収納ユニットを構成し、該ネット絞紐に沿って弾性筒をスライドさせてサッカーボールをサッカーボール収納体に固定し、該ネット絞紐に弾性紐ユニットを連結し、該弾性紐ユニットに固定盤ユニットを連結したことを特徴とするサッカー練習器具。
【請求項２】
上記固定盤ユニットは、高さの低い円盤形の固定盤と、その外周部に滑りを防止するために取り付けた防滑弾性材と、該固定盤の上部に起伏可能に取り付けた把手とからなり、該把手に弾性紐ユニットを連結したことを特徴とする請求項１に記載のサッカー練習器具。  
【請求項３】
上記弾性紐ユニットは、両端にフックを設けた伸縮可能な紐体からなり、該フックの一
方をサッカーボール収納ユニットに連結し、他方のフックをスイベルジョイントを介して
他の弾性紐ユニットに連結し、該他の弾性紐ユニットには固定盤ユニットを連結したこと
を特徴とする請求項１又は２に記載のサッカー練習器具。
【請求項４】
上記サッカーボール収納ユニットに連結した弾性紐ユニットを、スイベルジョイントを
介して複数の他の弾性紐ユニットに連結し、該複数の他の弾性紐ユニットにはそれぞれ固定盤ユニットを連結したことを特徴とする請求項１ないし３のいずれかに記載のサッカー練習器具。
【発明の詳細な説明】
【技術分野】
【０００１】
本発明は、サッカー好きな者が、屋内や屋外の練習場所で、手軽に練習するためのサッカー練習器具に関するものである。
【背景技術】
【０００２】
従来のサッカー練習器具には、所定の寸法に縮小した定着設置し得るように形成したゴール装置と、固定部材に伸縮紐を介してボールを取り付けたものがあった（例えば、特許文献１参照）。その構成は、ゴール枠５５に、回転式ゴール板５４を備えたゴール装置と、サッカーボール５０の相対する２ヶ所に、皮革で形成した取付具５１を一体的に固着し、伸縮紐５２の一端を該取付具５１にそれぞれ連結し、他端を相対して設置した２個の固定部材５３に繋いだものがある（図１２）。
【０００３】
他の例として、基盤に取付板を回転自在に設けると共に、該取付板に紐の一端を接続し、且つ、その紐の他端にサッカーボールを具備したものがあった（例えば、非特許文献１参照）。その構成は、基盤１０１に、ラジアルボールベアリング１０３により、回転自在に取付盤１０２を取り付け、該取付盤１０２の上部にリング１０４を設け、そこにサッカーボール１０６を入れる納体１０７に掛止した紐１０５で連結したものである（図１３）。
【特許文献１】特開昭４９−９５７２９号公開
【非特許文献１】実開昭５２−２５０６９号公開
【発明の開示】
【発明が解決しようとする課題】
【０００４】
従来のサッカー練習器具では、回転式ゴール板の組立設置という作業が必要であり、装置の移動、設置に手間を取り、サッカーボールが相対する２ヶ所から伸びた伸縮紐で張られているため、これらの紐が蹴るときに、蹴る位置での踏み込み足の動作の邪魔になった。また、蹴ったサッカーボールの方向や、キック力の強弱を判断するのが困難であった。
【０００５】
他の従来の器具では、基盤を中心に蹴られたサッカーボールが回転するので、蹴られたサッカーボールの反撥してくる方向を知ることができず、基本動作であるサッカーボールと体の位置を最も望ましい位置関係に瞬時に持っていくことが容易でなかった。
【課題を解決するための手段】
【０００６】
１個もしくは複数の固定盤、把手、および防滑弾性材で構成する固定盤ユニットの把手に弾性紐の両端にフックを設けた弾性紐ユニットのフックで一端を掛止し、他端をスイベルジョイントに掛止する。一方、環状弾性帯、環状非弾性帯および非弾性帯にてサッカーボールを把持し該非弾性帯の一端を締着するネット絞紐により構成されているサッカーボール収納ユニットに弾性紐ユニットの一端のフックにて掛止し、他端を該スイベルジョイントに掛止する（図１）。
【０００７】
サッカーボールの上部付近に、該サッカーボールの出し入れ可能な広さにまで拡大できる環状弾性帯を複数の縦方向の非弾性帯に縫着して設けて、その弾性力によりサッカーボールの把持を確実なものとし、サッカーボールの下部付近に、該サッカーボールが抜けないために必要な狭さをもった円周状の環状非弾性帯および該縦方向の非弾性帯を縫着して設け、円周状の環状非弾性帯と縦方向非弾性帯の間から、サッカーボールがすり抜けるのを許さないような狭さを有するようにサッカーボール収納体Ｄを形成し、該サッカーボールを把持してネット絞紐で締着する（図５、図６）。
【０００８】
固定盤ユニットは、サッカーボールを蹴った時に発生する反力に十分耐える重さを有する固定盤、可動式把手、および防滑弾性材により構成される。固定盤はスイベルジョイントに連結している弾性紐が使用中に該固定盤ユニットに引っかからないように、高さの低い円盤形の形状にする。また、該固定盤ユニットの防滑弾性材は固定盤ユニットの摩擦係数を高め滑り防止の効果を生じさせる（図２、図３）。
【発明の効果】
【０００９】
本発明であるサッカー練習器具で、サッカーボール収納ユニットＣを連結している弾性紐ユニットＢは該固定盤ユニットＡに固定盤が１個の場合は連結する弾性紐ユニットＢａ、固定盤が複数の場合の一例として２個の固定盤の場合、弾性紐ユニットＢａ、弾性紐ユニットＢｂとスイベルジョイント６に掛合しているため、サッカーボールを蹴って生じるボールの回転をスイベルジョイント６で吸収し、弾性紐ユニットＢ、弾性紐ユニットＢａ、弾性紐ユニットＢｂの捩れ現象を解消する。このため弾性紐Ｂ、Ｂａ、Ｂｂにはボール回転による捩れ現象が生じず、該サッカーボールは練習者の意図する方向にほぼ正確に蹴り、戻ってくることができる（図８、図９、図１０、図１１）。
【００１０】
サッカーボール９を蹴ったときに生じるボールの運動エネルギーは、該サッカーボール９および固定盤１に連結された弾性紐ユニットＢ，Ｂａ，Ｂｂに分散吸収され、運動エネルギーに見合った距離までボールは飛び、固定盤ユニットＡ、Ａａの重量、それに伴う摩擦力にて固定・拘束されて、弾性紐ユニットＢ，Ｂａ，Ｂｂに生じる弾性エネルギーによる張力により、足元近くまでサッカーボール９がほぼ正確に戻される（図１、図９）。
【００１１】
サッカーボール９を複数の縦方向の非弾性帯８に円周状に縫着した環状弾性帯７、および該縦方向の非弾性帯８と円周状の環状非弾性帯１０を縫着して構成されたサッカーボール収納体Ｄで把持、締着し、該サッカーボール収納体Ｄはサッカーボール９がすり抜けない範囲で、できるだけ粗めの網目にすることにより、サッカーボール９の転がりが良くなり、蹴った時の足の当たりフィーリングが、裸のサッカーボールを蹴った時のそれに近づくように改善される（図５、図６）。
【００１２】
連結された伸縮自在な弾性紐ユニットＢ、Ｂａ、Ｂｂの弾性力を利用し、地上に置いた固定盤ユニットＡ、Ａａでキック力を受けとめることにより、サッカーボール９が行き来できるため、サッカーボール収納ユニットＣに連結している弾性紐ユニットＢの長さを変更することにより、サッカーボール９の飛距離や転がり具合を調節できる。また、練習目的によって変わるキック方法やキック力に応じて、ベースユニットＡ、Ａａの間隔を変えて練習することができる（図９）。
【００１３】
本発明は、固定盤ユニットＡ、サッカーボール収納ユニットＣ、およびこれらを連結する弾性紐Ｂ、スイベルジョイントより構成されており、全体的にシンプル・コンパクトな構造で、持ち運びも容易であり、小さなスペースでも使用可能である。また、構造上、蹴る位置での踏み込み足の動作の邪魔にならず、蹴ったサッカーボールの方向や、キック力の強弱を判断するのが容易であり、加えて、蹴られたサッカーボールの反撥してくる方向をほぼ正確に予測でき、基本動作であるサッカーボールと体の位置を最も望ましい位置関係に瞬時に持っていくことが可能である。また、これらの特性を利用して、テニスボールを用いてのラリー練習用器具としても使用できる。
【発明を実施するための最良の形態】
【００１４】
固定盤ユニットＡは１個ないし複数個用いることができるが、一例として固定盤ユニットＡが２個の場合、固定盤ユニットＡ、Ａａ、弾性紐ユニットＢ、Ｂａ、Ｂｂ、サッカーボール収納ユニットＣをスイベルジョイント６で連結し構成される。固定盤ユニットＡ、Ａａは、固定盤１、把手２および防滑弾性材３で構成される。また、弾性紐ユニットＢ、Ｂａ、Ｂｂは、弾性紐５の両端にフック４を取り付けたものである。サッカーボール収納ユニットＣは、環状弾性帯７、非弾性帯８、環状非弾性帯１０およびネット絞紐１２で構成されている（図１）。
【００１５】
固定盤ユニットＡは、サッカーボール９を激しく蹴った場合にも移動しない程度の充分な重量のある比重の高い材質を用いた固定盤１に、可動できる把手２と、固定盤１の端部を円周状に覆った防滑弾性材３を設ける。該防滑弾性材３は、固定盤ユニットＡの摩擦係数を高め、滑り防止の役割を果たしている。また固定盤１の形状は、サッカーボール９を蹴ってその前後への移動時に弾性紐５が、該ベースユニットＡに引っかからないように高さの低い円盤形とする（図２、図３）。
【００１６】
弾性紐ユニットＢは、サッカーボール９を激しく蹴った場合にも充分な強度があり、伸縮可能な弾性紐５の両端にフック４を設けて構成されている（図４）。
【００１７】
サッカーボール収納ユニットＣは、サッカーボール９の上部付近に該サッカーボール９の出し入れ可能な広さにまで拡大できる環状弾性帯７を複数の縦方向の非弾性帯８に縫着して設けて、その弾性力によりサッカーボールの把持を確実なものとし、サッカーボール９の下部付近より、該サッカーボール９が抜けないために必要な狭さをもった円周状の環状非弾性帯１０と該縦方向の非弾性帯８を縫着したサッカーボール収納体Ｄにサッカーボール９を挿入する。サッカーボール収納体Ｄは、円周状の環状非弾性帯１０と縦方向非弾性帯８の間からサッカーボール９がすり抜けるのを許さないような狭さを有するようにを形成して該サッカーボール９を把持して、該サッカーボール収納体端をネット絞紐１２で締めつけて締着するように構成する。該ネット絞紐１２の両端にスライド可能に軸着している弾性筒１１，１１’の一端である該弾性筒１１をサッカーボール９側に押し込むことにより固定し、該サッカーボール収納体Ｄの弛み、開きを防ぎ把持を確実にものとする。該サッカーボール収納ユニットＣは、市販のネット袋を利用し、サッカーボール９の上部付近に環状弾性帯７をネット袋に縫着して設けても良い（図５、図６、図７）。
【００１８】
サッカーボール収納ユニットＣを連結している弾性紐ユニットＢは該固定盤ユニットＡに固定盤が１個の場合は連結する弾性紐ユニットＢａ、固定盤が複数の場合の一例として２個の固定盤の場合、弾性紐ユニットＢａ、弾性紐ユニットＢｂとスイベルジョイント６に掛合しており、サッカーボールを蹴って生じるボールの回転をスイベルジョイント６で吸収し、弾性紐ユニットＢの捩れ現象を解消する（図１）。
【００１９】
弾性紐５は、ゴム材や弾性繊維材、合成樹脂材、化学繊維材等の弾性を有するもので、伸縮自在な材料を用いて紐状、または帯状に形成されたものであり、環状弾性帯７は、ゴム材や弾性繊維材、合成樹脂材、化学繊維材等の弾性を有するもので、伸縮自在な材料を用いて、紐状や帯体に形成されたものであり、環状非弾性帯１０と非弾性帯８は、繊維材、合成樹脂材、化学繊維材で、伸縮のない材料を用いて、紐や帯体に形成されたものである。
【実施例１】
【００２０】
固定盤ユニットとして、直径１５０φｍｍ、厚さ２０ｍｍ、重量３Ｋｇの固定盤の円周端全周に厚さ５ｍｍの防滑弾性材を設け、サッカーボール収納ユニットは、直径１８０φｍｍのサッカーボールの上方から約２／３の位置に幅１２ｍｍ、厚さ２ｍｍ、直径１４５φｍｍのプラスチック製環状非弾性帯、またサッカーボールの上方から約１／３の位置に幅１２ｍｍ、厚さ２ｍｍ、直径１３５φｍｍの環状の帯ゴム環状弾性帯を、サッカーボールの上方から見て、等間隔に４本の幅１２ｍｍ、厚さ２ｍｍ、長さ２５０ｍｍの縦方向のプラスチック製非弾性帯に縫着してサッカーボール収納体Ｄを構成しサッカーボールを挿入・把持し、非弾性帯のサッカーボール上方の一端を太さ５φｍｍ、長さ５０ｍｍのネット絞紐で締着し、該ネット絞紐に貫合する長さ１０ｍｍの弾性筒にて固定する。弾性紐ユニットは、長さ２ｍ、太さ５φｍｍのゴム紐弾性紐で、両端にフックを設けており、一端を固定盤ユニット、他端をスイベルジョイントに掛止し、一方サッカーボール収納ユニットは他の弾性紐の一端を該サッカーボール収納ユニットのネット絞紐に掛止し、他端を該スイベルジョイントに掛止して連結する。以下、この組合せのサッカー練習器具を用いての実施例を示す。
【００２１】
固定盤ユニットＡは１個ないし複数個用いることができるが、一例として固定盤ユニットＡが２個の場合、固定盤ユニットＡ、Ａａ、弾性紐ユニットＢ、Ｂａ、Ｂｂ、スイベルジョイント６とサッカーボール収納ユニットＣが相互に連結されている。サッカーボール９を、Ｅの点からＦの方向に蹴ると、サッカーボール９は、Ｆの点まで行き、元のＥの点近くまでもどる。また、ＥからＦａの方向に蹴ると、サッカーボール９は、Ｆａに行き、Ｅａの点近くまでもどる。また、ＥからＦｂの方向に蹴ると、サッカーボール９は、Ｆｂに行き、Ｅｂの点近くまでもどる。これらの動作を用いて、体を左右に移動させて、右足キックや左足キックの練習が行なえる（図８）。
【実施例２】
【００２２】
固定盤ユニットＡ、Ａａ間の距離を変えると、弾性紐ユニットＢ、Ｂａ、ＢｂのＹ形の角度が変わり、同じキック力で蹴ってもサッカーボール９の飛距離が変化する。この調整により、自分の考えているキック方法に合わせて飛距離や戻り時間を調整しながら練習が行なえる。固定盤ユニットＡ、ＡａがＧの位置の場合に、Ｅから蹴るとＪまで行くが、この場合は、サイドキックのような弱いキック練習に適切である。固定盤ユニットＡ、ＡａがＨの位置の場合に、Ｅから蹴るとＦまで行くが、この場合は、コントロールキックの練習に適切である。また、固定盤ユニットＡ、ＡａがＩの位置の場合に、Ｅから蹴るとＫの近くまで行くが、この場合は、シュートやロングパスの練習に最適である（図９）。
【実施例３】
【００２３】
固定盤ユニットＡは１個ないし複数個用いることができるが、固定盤ユニットＡを一個にした場合、該固定盤ユニットＡを弾性紐ユニットＢａ，サッカーボール収納ユニットＣを弾性紐ユニットＢでスイベルジョイント６に掛止し、サッカーボール９をＬからＭ方向に蹴ったとき、サッカーボール９はＭに行き、弾性紐ユニットの弾力によりＮに引きもどされ、練習者は、Ｎの近くに素早く行き、次に蹴る目標Ｐに向けて蹴れるように体を持っていき蹴ると、サッカーボール９はＰに行き、Ｑに戻る。これにより、練習者は左右の動き、その場合のサッカーボールとの体の距離感等を練習できる（図１０）。
【実施例４】
【００２４】
固定盤ユニットＡが一個の場合、Ｘ、Ｙ、Ｚの位置に各１名づつ練習者がおり、それぞれの練習者に向かってパスキックの練習を行なうことがでる、サッカーボール収納ユニット、弾性紐ユニットＢ，スイベルジョイント、弾性紐ユニットＢａ、固定盤ユニットで構成し、ミスキックの場合でもサッカーボール９は弾性紐ユニットＢおよび弾性紐ユニットＢａの伸びた長さより外には飛んでいかないため、効率よく練習を行なうことができる。なお、Ｂａは複数本連結して使っても良いし、一本の長い物を使っても良い（図１１）。
【図面の簡単な説明】
【００２５】
【図１】本発明であるサッカー練習器具の基本構成を示す平面図
【図２】固定盤ユニットの平面図
【図３】固定盤ユニットのＳ−Ｓ断面図
【図４】弾性紐ユニットの平面図
【図５】サッカーボール収納ユニット斜視図
【図６】サッカーボールをサッカーボール収納体Ｄに収納固定したサッカーボール収納ユニットの平面図
【図７】ネットを用いたサッカーボール収納体Ｄの実施例の平面図
【図８】固定盤ユニットを２個使用した練習形態説明図
【図９】キック力に応じて固定盤ユニット間を調整した場合の練習形態説明図
【図１０】固定盤ユニットを１個使用した練習形態説明図
【図１１】固定盤ユニットを１個使用した複数の練習者による練習形態説明図
【図１２】従来のサッカー練習器具の斜視図
【図１３】従来の他のサッカー練習器具の斜視図及び一部断面図
【符号の説明】
【００２６】
１  固定盤
２  把手
３  防滑弾性材
４  フック
５  弾性紐
６  スイベルジョイント
７  環状弾性帯
８  非弾性帯
９  サッカーボール
１０  環状非弾性帯
１１、１１’  弾性筒
１２  ネット絞紐
Ａ，Ａａ  固定盤ユニット
Ｂ、Ｂａ、Ｂｂ  弾性紐ユニット
Ｃ  サッカーボール収納ユニット
Ｄ  サッカーボール収納体
５０  サッカーボール
５１  取付具
５２  伸縮紐
５３  固定部材
５４  回転式ゴール板
５５  ゴール枠
１０１  基盤
１０２  回転取付板
１０３  ラジアルボールベアリング
１０４  リング
１０５  紐
１０６  サッカーボール
１０７  納体
【図１】
2007082579.tif 000003
【図２】
2007082579.tif 000004
【図３】
2007082579.tif 000005
【図４】
2007082579.tif 000006
【図５】
2007082579.tif 000007
【図６】
2007082579.tif 000008
【図７】
2007082579.tif 000009
【図８】
2007082579.tif 000010
【図９】
2007082579.tif 000011
【図１０】
2007082579.tif 000012
【図１１】
2007082579.tif 000013
【図１２】
2007082579.tif 000014
【図１３】
2007082579.tif 000015